Podtech/llm-jp-corpus-v4-ja_patent huggingface dataset:
(57)【要約】      （修正有）【課題】スポーツ用自転車など自立式スタンドを持たない自転車の駐輪方法をより安全に改善した、自転車駐輪スタンドハンガーを提供する。【解決手段】自転車のサドルを架ける横棒を上下にずらした二本とし左右の支柱に取付ける。上段の横棒と下段の横棒との間隔を自転車のサドルの厚さ以上の寸法とし、尚且つ上段の横棒にサドルを架けた自転車のトップフレームが下段の横棒に接触しない寸法を確保した上で二本の横棒を左右の支柱に取付ける。また支柱への下段の横棒の取付け高さはその下スポーツサイクルのハンドルバー廻りが通過できる高さを確保する。この事により、様々なサイズの自転車の駐輪が楽になりサイクルスタンドハンガー本体も安定する。また横棒を二本にする事により子供が鉄棒遊具に見立てて遊ぶ事が出来なくなり、転倒事故や破損事故を防ぐ事ができる。【選択図】図２
0003177674.tif 000002
【実用新案登録請求の範囲】
【請求項１】
自転車駐輪用スタンド型ハンガーのサドル架け用の横バーを二本取り付けた事を特長とするスポーツサイクル用安全簡易駐輪台。
【考案の詳細な説明】
【技術分野】
【０００１】この考案は一定場所で、自立式スタンドを持たない自転車の駐輪方法をより安全に改善した、自転車駐輪スタンドハンガーに関する。
【背景技術】
【０００２】従来、スポーツ用自転車は自立式スタンドの備えが無く、駐輪する際、自転車を地面に横たえるか支柱や壁を見つけて寄りかけるしか無いため、複数の自転車を置くには鉄棒状の横パイプの渡ったサイクルハンガーに自転車のサドル先端部を引っ掛けて自転車を吊り下げる方法が取られている。
【考案の概要】
【考案が解決しようとする課題】
【０００３】従来の横バー一本タイプの鉄棒遊具形状のサイクルスタンドハンガーは多くの自転車を一本の横バーに架けるため、使用し始めるとバーの高さの調節は難しく、サドル高の異なる自転車の掛け外しがしにくく不安定である。また特に子供による鉄棒遊具としての悪戯が多く、子供の怪我や自転車の破損につながる事がある。そこで本考案はサイズの異なる自転車の駐輪を楽にすると共に、子供の鉄棒事故を防ぐものである。
【課題を解決するための手段】
【０００４】以上の課題を解決するために、自転車のサドルを架ける横バーの下に更に下段にも自転車が架けられるよう、上部自転車のサドルポスト寸法や、下部自転車のサドル厚の寸法を考慮した位置に二本目の下部横バーを設置したスポーツサイクル用の駐輪スタンドハンガーである。
【考案の効果】
【０００５】横バーを二本にする事によりサドル高の低い自転車も安定してハンガーに架ける事ができサドル高が異なる自転車をハンガー全体に架けられるためハンガー自体の重心のズレも少なく安定する。また一本目のバーの下に比較的狭い間隔で二本目のバーが有るために子供が鉄棒に見立てて回転することが不可能になるため怪我や自転車破損事故を防止できる。
【図面の簡単な説明】
【０００６】
【図１】本考案の構成を示す斜視図である。
【図２】本考案の使用中の斜視図である。
【考案を実施するための形態】
【０００７】サイクルハンガー本体の横バーを支える両側の支柱は従来多く見られる逆Ｖ字形や逆Ｔ字形が在るが、これらの支柱の頂点部や頂点部近くに上部の横バーを配置し、このバーに自転車のサドル引っ掛けて上段の自転車のハンガーとする。このバーより下部に一般的なロードバイクやクロスバイク等のスポーツサイクルのハンドルバー廻りが自転車の両輪が地上に接地した状態で潜り抜けられる高さ以上に二本目の下部ヨコバーを設置して下段に架ける自転車のハンガーとするが、上部バーと下部バーとの設置間隔は二本のバーの間に下段の自転車のサドルの厚みが通過できる寸法を確保し、且つ上部バーに標準的なサドル地上高の自転車を架けたときに、その自転車のフレームのトップチューブが接触しない位置に下部の横バーを設置する。
【符号の説明】
【０００８】      １  左右支柱
２  上部横バー
３  下部横バー
４  自転車
５  サドル
６  トップチューブ
【図１】
0003177674.tif 000003
【図２】
0003177674.tif 000004
【手続補正書】
【提出日】平成24年5月25日(2012.5.25)
【手続補正１】
【補正対象書類名】実用新案登録請求の範囲
【補正対象項目名】全文
【補正方法】変更
【補正の内容】
【実用新案登録請求の範囲】
【請求項１】
サドル架け用の横バーを二本取り付けた事を特徴とする鉄棒遊具形状の自転車駐輪用スタンド型ハンガー。
(57)【要約】【課題】  直接素材に触れずに塩麹漬けを容易に実施できるとともに、出来上がった漬け物を保存できる塩麹漬け容器を実現する。【解決手段】  全長に対し高さが二分の一以下である剛性を有する容器本体１と、上記容器本体に対し密閉状態で被蓋される蓋体２と、弾性素材からなるへら体５の組み合わせにより塩麹漬け容器とする。【選択図】      図１
0003177635.tif 000002
【実用新案登録請求の範囲】
【請求項１】
全長に対し高さが二分の一以下である剛性を有する容器本体と、上記容器本体に対し密閉状態で被蓋される蓋体と、弾性素材からなるへら体の組み合わせからなることを特徴とする塩麹漬け容器。
【考案の詳細な説明】
【技術分野】
【０００１】
この考案は塩麹漬けを容易に実施できるとともに、出来上がった漬け物を保存できる塩麹漬け容器に関する。
【背景技術】
【０００２】
漬物としては、米糠を乳酸発酵させて作った糠床に野菜を漬け込む糠漬けが一般的である。しかしながら、これを家庭で行うには糠床を用意、管理しなくてはならない煩わしさがある。一方、簡易な漬物としては塩漬けがあり、それを家庭で簡単に実施できるための用具として、漬物材料を収容する容器本体に被蓋する蓋体に中空の螺子体を螺合して昇降させると共に、下端に押し板を設けた昇降杆を下降方向に附勢して上記螺子体内に内挿した即席漬物器が公知である（例えば、特許文献１）。
【先行技術文献】
【特許文献】
【０００３】
【特許文献１】特開２００３−２１９７９７号公報
【考案の概要】
【考案が解決しようとする課題】
【０００４】
前記の塩漬けは、即席漬物器を使用して手軽に実施できるが、糠漬けのような発酵の風味は楽しめなかった。
【０００５】
一方、最近、麹と塩、水を混ぜて発酵・熟成させた塩麹が脚光を浴びている。塩麹自体は漬物床として古くから利用されているが、家庭でこれを用いて漬物を作るにはビニール袋等の保存袋に漬物材料と塩麹を入れて、よくもみ込み空気を抜きながら密閉させる手法がとられている。
【０００６】
しかしながら、上記の手法においては、第一に剛性を有せず掴みにくい保存袋に塩麹を入れるには器具でなく素手を使わなくてはならない面倒さがあり、第二にもみ込み作業にはそれなりのこつを要し、第三に調理保存した漬物の一部を取り出す場合の取り出しおよび再密閉作業が面倒な問題があった。これらは、日常的に料理に携わっている主婦にはなんということはないだろうが、そうでない者には結構面倒な作業であった。
【課題を解決するための手段】
【０００７】
この考案は前記の問題点に鑑みて創作されたものであり、特別な経験を要せずとも誰でも塩麹漬けを容易に実施できるとともに、出来上がった漬け物を保存できる塩麹漬け容器を提供することを目的とする。すなわち、この考案の塩麹漬け容器は全長に対し高さが二分の一以下である剛性を有する容器本体と、上記容器本体に対し密閉状態で被蓋される蓋体と、弾性素材からなるへら体の組み合わせからなることを特徴とする。
【考案の効果】
【０００８】
以上の構成よりなるこの考案の塩麹漬け容器によれば、第一に、容器本体を全長に対し高さが二分の一以下にして、容器の体積に対する開口面を広くとることにより塩麹漬けの対象となる素材の露出面を大きくすることができる。第二に、弾性素材からなるへら体を組み合わせることにより、素材にまぶした塩麹を素材全体に行き渡るように均一に均すことが可能となる。第三に、蓋体を施すことにより、容器内を密閉状態として素材に含まれるデンプンやタンパク質の塩麹による分解作用を助長して甘味やうま味を引き出すことが可能となる。第四に、剛性を有する容器と蓋体の組み合わせとすることにより調理保存した漬物の一部を取り出す場合の取り出しおよび再密閉作業が容易となる。
【０００９】
以上のことから、この考案の塩麹漬け容器によれば、素手を使わずに誰でも容易に塩麹漬けを作ることが可能となる。
【図面の簡単な説明】
【００１０】
【図１】この考案の塩麹漬け容器の斜視図。
【考案を実施するための形態】
【００１１】
以下、この考案の塩麹漬け容器の具体的実施例を添付図面に基づいて説明する。図中符号１は容器本体である。この容器本体１は剛性を有する素材（ここではプラスチックにより成型している）により上面が開口した筐体状に構成されるものであり、全長に対し高さを二分の一以下とすることにより容器の体積に対する開口面を広くとっている。図中符号３は容器本体１に対して用意される蓋体である。この蓋体３は弾性を有する素材（ここではプラスチックにより成型している）により構成されるものであり、下端周側に凹設された環状溝部４に、前記の容器本体１の上端から突設された環状の挿入部２を強圧嵌入することにより、容器本体に対し密閉状態で被蓋される。
【００１２】
図中符号５はへら体である。このへら体５は素材にまぶした塩麹を素材全体に均すために使用されるものであり、この均し作業を容易にするために弾性を有する素材（ここではプラスチックにより成型している）により構成される。この実施例においてはさらに周側片側６を先端に行くほど薄くすることにより、柔軟性を与えている。なお、図中符号７はへら体５をフックなどに掛止するための掛止孔である。
【００１３】
以上の構成からなるこの考案の塩麹漬け容器の使用にあたっては、例えば野菜や魚、肉、豆腐などの素材を先ず容器本体１に収容する。この場合、容器の体積に対する開口面を広くとっているので、素材は大きく展開した状態で収容することが可能となり、まぶされた塩麹との接触面を大きくとることができる。次に、収容した素材の表面に塩麹をまぶし、さらに弾性素材からなるへら体５により素材にまぶした塩麹を素材全体に行き渡るように均一に均し、最後に容器本体１に対し蓋体３を密閉状態で被蓋し冷蔵庫などに入れて塩麹漬けを行う。
【符号の説明】
【００１４】
１                容器本体
３                蓋体
５                へら体
【図１】
0003177635.tif 000003
(57)【要約】      （修正有）【課題】浅漬けを容易に実施できるとともに、出来上がった漬け物を保存できる浅漬け容器を実現する。【解決手段】有底円筒状の容器本体１と、容器本体に対し密閉状態で被蓋される蓋体３と、容器本体の内径より小さい外径を有すると共に複数の通水孔７を有する円盤状の水切り板の上方に手持ちハンドル８を立設した水切り具５の組み合わせにより浅漬け容器を構成する。【選択図】図１
0003177636.tif 000002
【実用新案登録請求の範囲】
【請求項１】
有底円筒状の容器本体と、上記容器本体に対し密閉状態で被蓋される蓋体と、容器本体の内径より小さい外径を有すると共に複数の通水孔を有する円盤状の水切り板の上方に手持ちハンドルを立設した水切り具の組み合わせからなることを特徴とする浅漬け容器。
【請求項２】
少なくとも下端が開口された筒状の手持ちハンドルを水切り板の中央に立設すると共に、上記手持ちハンドルの根本付近の周側に通水窓部を設けた請求項１記載の浅漬け容器。
【考案の詳細な説明】
【技術分野】
【０００１】
この考案は浅漬けを容易に実施できるとともに、出来上がった漬け物を保存できる浅漬け容器に関する。
【背景技術】
【０００２】
漬物としては、米糠を乳酸発酵させて作った糠床に野菜を漬け込む糠漬けが一般的である。しかしながら、これを家庭で行うには糠床を用意、管理しなくてはならない煩わしさがある。一方、簡易な漬物としては浅漬けがあり、それを家庭で簡単に実施できるための用具として、漬物材料を収容する容器本体に被蓋する蓋体に中空の螺子体を螺合して昇降させると共に、下端に押し板を設けた昇降杆を下降方向に附勢して上記螺子体内に内挿した即席漬物器が公知である（例えば、特許文献１）。
【０００３】
また、カット野菜が充填・密封されている合成樹脂製の袋と、そのカット野菜に対して５〜３０％の食塩を主成分とする粉末調味料が充填・密封されている小袋とを対にしてなる浅漬け用キットも公知である（特許文献２）。
【先行技術文献】
【特許文献】
【０００４】
【特許文献１】特開２００３−２１９７９７号公報
【特許文献２】実用新案登録第３０６８３５９号公報
【考案の概要】
【考案が解決しようとする課題】
【０００５】
前記の浅漬けを簡単に素早く作るために、液体や粉末を水に溶いて使う浅漬けの素（即席漬けの素）と通称される製品が市販されている。これらは出汁と塩、それに調味料を混合したものであり、塩分による浸透圧を利用して野菜に素早く味を染み込ませる作用を生じる。
【０００６】
前記の浅漬けの素を有効に活用するには、できるだけ素早く野菜に浅漬けの素を均等に接触させることが望まれる。一方、塩分による浸透圧を利用するので野菜から水分が出て、時間が経過するとこれが酸化し酸っぱくなるので、しみ出た水分を適宜排出して味を調整することも望まれる。
【課題を解決するための手段】
【０００７】
この考案は前記の課題に鑑みて創作されたものであり、特別な経験を要せずとも誰でも浅漬けを容易に実施できるとともに、出来上がった漬け物を保存できる浅漬け容器を提供することを目的とする。すなわち、この考案の浅漬け容器は有底円筒状の容器本体と、上記容器本体に対し密閉状態で被蓋される蓋体と、容器本体の内径より小さい外径を有すると共に複数の通水孔を有する円盤状の水切り板の上方に手持ちハンドルを立設した水切り具の組み合わせからなることを特徴とする。
【考案の効果】
【０００８】
以上の構成よりなるこの考案の浅漬け容器によれば、第一に、容器本体が有底円筒状で、且つ、上記容器本体に対し密閉状態で被蓋される蓋体が組み合わされるので、容器内に野菜と浅漬けの素を入れて被蓋し、あたかもシェイクするように容器を持って振れば野菜に浅漬けの素が素早く均等に接触する作用が生じる。そして、この場合、容器本体の内壁には角面はなくラウンド面で構成されているので、振った際に野菜は均一に分散され、しかも角などに当たって傷つくおそれがない。第二に、容器本体の内径より小さい外径を有すると共に複数の通水孔を有する円盤状の水切り板の上方に手持ちハンドルを立設した水切り具が組み合わされるので、この水切り具で野菜を押さえたり、押しつけたりすることにより野菜からしみ出た水分を適宜排出して味を自在に調整することが可能となる。
【０００９】
以上のことから、この考案の浅漬け容器によれば、誰でも容易に素早く浅漬けを作ることが可能となる。
【図面の簡単な説明】
【００１０】
【図１】この考案の浅漬け容器の分解斜視図。
【図２】この考案の浅漬け容器の使用状態を示す斜視図。
【考案を実施するための形態】
【００１１】
以下、この考案の浅漬け容器の具体的実施例を添付図面に基づいて説明する。図中符号１は容器本体である。この容器本体１は剛性を有する素材（ここではプラスチックにより成型している）により上面が開口した有底円筒状に構成される。図中符号３は容器本体１に対して用意される蓋体である。この蓋体３は弾性を有する素材（ここではプラスチックにより成型している）により構成されるものであり、下端周側に凹設された環状溝部４に、前記の容器本体１の上端から突設された環状の挿入部２を強圧嵌入することにより、容器本体に対し密閉状態で被蓋される。
【００１２】
図中符号５は水切り具である。この水切り具５はここではプラスチックにより成型されるものであり、容器本体１の内径より小さい外径を有すると共に複数の通水孔７を有する円盤状の水切り板６の上方に手持ちハンドル８を立設した構成よりなる。この水切り具５は、野菜を押さえたり、押しつけたりすることにより野菜からしみ出た水分を通水孔７から排出して水切りを行うものであり、ここでは水切り性能をより高めるために、下端が開口された筒状の手持ちハンドル７を水切り板６の中央に立設すると共に、上記手持ちハンドルの根本付近の周側に複数の通水窓部９を設けている。
【００１３】
以上の構成からなるこの考案の浅漬け容器の使用にあたっては、野菜を容器本体１に収容して浅漬けの素をまぶす。次に、容器本体１に対し蓋体３を密閉状態で被蓋し、あたかもシェイクするように容器全体を手で振って、内部で野菜と浅漬けの素を踊らせることによりこれらを素早く均等に接触させる。そして、水切り具５で野菜を押さえて容器本体１傾けたり、水切り具を野菜に押しつけ、野菜を圧縮して絞ることにより時間の経過に従って野菜からしみ出てくる水分を適宜排出して任意の味に調整する。
【符号の説明】
【００１４】
１                容器本体
３                蓋体
５                水切り具
【図１】
0003177636.tif 000003
【図２】
0003177636.tif 000004
(57)【要約】      （修正有）【課題】手動によるネール研磨は利き腕などに左右されることなく誰でも簡単に爪表面の凹凸を研磨滑らかにして艶出しができる電動式研磨用カートリッジを提供する。【解決手段】市販の電動歯ブラシの柄のカートリッジをカートリッジ本体先端部の三角錐に、粗削り用研磨剤、仕上げ用研磨剤、それぞれに適した研磨剤を塗布したカートリッジ２種類と、同様にカートリッジ本体先端部の三角錐に合皮又はなめし皮、ネル生地等を貼ったカートリッジに、差し替えることにより、右利きの人でも左利きの人でも利き腕に関係なく簡単に爪表面の研磨艶出しができ、また足先の小さな爪にも手の指同様に表面研磨、艶出しができるものである。【選択図】図１
0003177512.tif 000002
【実用新案登録請求の範囲】
【請求項１】
本考案のカートリッジ本体先端部の三角錐に、粗削り用研磨剤、仕上げ用研磨剤、それぞれに適した研磨剤を塗布したカートリッジ２種類と、同様にカートリッジ本体先端部の三角錐に合皮又はなめし皮、ネル生地等を貼ったカートリッジから成る。
また、本考案カートリッジは超振動による電動式歯ブラシの歯ブラシ部分を差し替えることによりネール磨きや艶出しが簡単にできることである。
【考案の詳細な説明】
【技術分野】
【０００１】  本考案は電池及び電気を使用した振動具ヘッドに着脱容易な三角錐の頭部を形成する特殊なカートリッジを装着するものであり、そのカートリッジの種類によりネール研磨と艶出しに使い分けのできるカートリッジに関するものである。
【背景技術】
【０００２】  従来のネール磨きは利き腕側を磨く時は不便さを感じ、また従来の電動式の器具は回転運動や縦・横運動で研磨される為、磨き残しが多かった難点があり、また、研磨用と艶出し用のカートリッジの交換が不便であった。
尚且つ爪表面と皮膚との細部にわたっての研磨および艶出しをするには、皮膚を傷つけたりする難点も発生した。
【先行技術文献】
【０００３】  従来のものは回転運動や縦・横運動で研磨されるものが多く、電動・手動に関わらず爪の細部にわたって研磨できるものではなく、爪と皮膚の接触部分に対して極め細やかな配慮がなく、また、研磨部品の取り替えにも手間のかかるものが多かった。
【考案の概要】
【考案が解決しようとする課題】
【０００４】  カートリッジ頭部は三角錐を型どり、それぞれの頭部が磨き用、艶出し用に構成され、また、カートリッジの差し込み口を市販の電動式振動歯ブラシの形状に合わすことにより多機種の電動式振動歯ブラシに着脱が容易にできるよう加工され前述の欠点を解決しようとするものである。
【課題を解決するための手段】
【０００５】  本考案は、カートリッジ頭部を三角錐にすることにより磨き残しや艶出しの際にムラ残しなどを無くすほか、カートリッジの柄の部分が軟質材で構成することにより爪接触部分への直接負担を軽減する。そして、カートリッジは簡単な差し込み形式のため、それぞれの用途に応じて差し替えが容易で、カートリッジは少なくとも３種類、粗研磨用、仕上げ研磨用、艶出し用と用意することで解決している。
さらに、皮膚と詰めの接触部分においては三角錐の頂点を利用して容易に研磨・艶出しができ、皮膚に対して配慮することを提供するものである。
【考案の効果】
【０００６】  上述の様に、本考案の電動的振動によるネイル磨き及び艶出しカートリッジは利き腕等関係なくネール表面の研磨や艶出しが容易であり、特に夏場に向けサンダルなど素足が目立つ時期など、足の爪にも容易に使用でき、綺麗な足元を見せる効果も期待大である。
【図面の簡単な説明】
【０００７】
【図１】  本考案の実施例を示す  １点
【図２】  本考案のカートリッジと三角錐ヘッド  ６点  １．ネール粗削り  ２．ネール仕上げ削り  ３．ネール艶出し  ４．粗削り用研磨剤塗布  ５．仕上げ用研磨剤塗布  ６．艶出し用合皮貼り
【図３】  本考案の差し込み口例
【考案を実施するための形態】
【０００８】  本カートリッジを市販の振動歯ブラシに現存する歯ブラシカートリッジを取り外し、その振動歯ブラシの差し込み口の形状に合わせた加工を施し使用するものである。
【実施例】
【０００９】  以下、添付図面に従って一実施例を説明する。１は粗研磨用カートリッジ、２は仕上用研磨カートリッジ、３は艶出し用カートリッジ、各カートリッジは三角錐頭部より差し込み口まで全体に耐久性且つ軟質性を有するプラスチックス等適宜素材にて一体化形成されている。【００１０】  ４は三角錐に粗削り用研磨剤を塗布したもの、５は三角錐に仕上げ削り用研磨剤を塗布したもの、６は艶出し合皮又はなめし皮やネル生地を張り付けたものである。【００１１】  図３は差し込み口を底部から見た図であり各機種振動歯ブラシの差し込み口の形状に型合わせをするものである。【００１２】  本考案の一実施例は上述の如き構成から成るものであるから、もともと電動歯ブラシを使用するは勿論の事、カートリッジを交換することにより、手先の爪や足先の爪の研磨から艶出しまで容易にできるものである。
【符号の説明】
【００１３】１．ネール研磨粗削りカートリッジ
２．ネール研磨仕上げ用カートリッジ
３．ネール艶出し用カートリッジ
４．粗削り用研磨剤塗布
５．仕上げ用研磨剤塗布
６．艶出し用合皮又はなめし皮、ネル生地を貼り付け
【図１】
0003177512.tif 000003
【図２】
0003177512.tif 000004
【図３】
0003177512.tif 000005
【手続補正書】
【提出日】平成24年5月17日(2012.5.17)
【手続補正１】
【補正対象書類名】実用新案登録請求の範囲
【補正対象項目名】全文
【補正方法】変更
【補正の内容】
【実用新案登録請求の範囲】
【請求項１】
カートリッジ本体先端部の三角錐に、粗削り用研磨剤、仕上げ用研磨剤、それぞれに適した研磨剤を塗布したカートリッジ２種類と、同様にカートリッジ本体先端部の三角錐に合皮又はなめし皮、ネル生地等を貼ったカートリッジから成る電動式研磨用カートリッジ。
(57)【要約】      （修正有）【課題】地震の際に、棚から収納物が落下し、散乱することを防ぐ収納物落下防止器具を提供する。【解決手段】収納物ケース１と棒状落下防止具４から成り、家具類の棚板の前面に棒状落下防止具を付け、収納物ケースを棚上に棒状落下防止具に重ならないように置いて使用する。収納物ケースは少なくとも５ｃｍ以上の深さがあり、前面内側上部に収納物飛び出し防止のための突起３があり、前面からおよそ３分の１のところの底面に突起と平行になるように棒状落下防止具の嵌る溝２がある。棒状落下防止具は少なくとも高さ１ｃｍ以上でクッション材６が取り付けてある。【選択図】図８
0003177518.tif 000002
【実用新案登録請求の範囲】
【請求項１】
収納物ケースと棒状落下防止具から成り、家具類の棚板の前面に棒状落下防止具を付け、収納物ケースを棚上に棒状落下防止具に重ならないように置いて使用する収納物落下防止器具において、収納物ケースは少なくとも５ｃｍ以上の深さがあり、前面内側上部に収納物飛び出し防止のための突起があり、前面からおよそ３分の１のところの底面に前記突起と平行になるように棒状落下防止具の嵌る溝があることを特徴とし、棒状落下防止具は少なくとも高さ１ｃｍ以上でクッション材が取り付けてあることを特徴とする収納物落下防止器具。
【考案の詳細な説明】
【技術分野】
【０００１】本考案は地震の際、家具等の棚から収納物の落下散乱を防止するために棚に取り付ける器具に関する。
【背景技術】
【０００２】地震の際に棚等からの物品の落下散乱防止する器具としては、棚の段を横切るように取り付ける棒状の金具が主に使用されている。また、実願平７−１２５１９号に示されるように棚板の前面に取り付ける板状の落下防止具も考案されている。
【考案の概要】
【考案が解決しようとする課題】
【０００３】上記の金具や板状の落下防止具は、収納物が出し入れしにくくなる可能性あり、地震の際に  収納物が棚内で破損した場合  破片が落下散乱してしまう危険性がある。
また  取付けが難しいものや高価なものある。【０００４】本考案はこのような課題を解決し、簡単に取付けが出来、地震の振動で収納物が移動、破損してもケース内におさまり、棒状の落下防止具に取り付けたクッション材が衝撃を吸収し、突起でケースの飛び出しを止めることにより収納物の落下散乱を防止することが出来る収納物落下防止器具を提供するものである。
【課題を解決するための手段】
【０００５】上記の課題を解決するために成された本考案に係る収納物落下防止器具は、収納物ケースと棒状落下防止具から成り、棒状落下防止具の接着面を棚板前面に沿って  しっかりと付け、収納物ケースを棒状落下防止具を重ならないように置いて使用する収納物落下防止器具において、収納物ケースは少なくとも５ｃｍ以上の深さがあり、前面内側上部に収納物飛び出し防止の突起があり、また前面部からおよそ３分の１の所の底面に前記突起と平行になるように棒状落下防止具に嵌る溝があることを特徴とし、棒状落下防止具は少なくとも高さ１ｃｍ以上でクッション材が取り付けてあることを特徴とする。
【考案の効果】
【０００６】本考案に係る収納物落下防止器具の収納物ケースは前面内側の突起により地震の際の大きな振動で収納物ケースから収納物が飛び出すことを防ぎ、収納物同士がぶつかり破損した場合も  深さ５ｃｍ以上なので収納物ケース内におさまる。また  前面からおよそ３分の１の所の底面にある溝により、揺れでケースが飛び出した場合でも溝に棒状落下防止具が引っかかり止まる。また棒状落下防止具は地震の際  クッション材で収納物ケースがぶつかる衝撃を吸収し、１ｃｍ以上の高さのフレームにより  乗り越えて落下することを防ぐことが出来、万が一  乗り越えた場合でも収納物ケースの底面にある溝に掛かることにより、落下散乱を防止することが出来る。また作りが簡素であるため  簡単に取付けが出来、低コストで製造することが出来る。
【図面の簡単な説明】
【０００７】
【図１】収納物落下防止器具の収納物ケースの平面図
【図２】図１のＡ−Ａ線断面図
【図３】収納物落下防止器具の棒状落下防止具の正面図
【図４】収納物落下防止器具の棒状落下防止具の平面図
【図５】図３のＢ−Ｂ線断面図
【図６】収納物落下防止器具を実際に取り付けた状態の平面図
【図７】収納物落下防止器具を実際に取り付けた状態の正面図
【図８】収納物落下防止器具を実際に取り付けた状態の斜視図
【実施例】
【０００８】本考案の収納物落下防止器具の実施例を図６、図７、図８に示す。図が示すように本実施例の収納物落下防止器具の棒状落下防止具４は棚板７前面の端に沿うように設置されており、クッション材６がついている。収納物ケース１は棚内に棒状落下防止具４と重ならないように置かれており、収納物ケース１の前面内側には突起５があり  前面から  およそ３分の１の所の底面に溝２がある。本実施例の収納物落下防止器具は、棚板７の大きさや高さに合わせ  収納物ケース１は高さ７０ｍｍ程度、棒状落下防止具４は高さ１０ｍｍ程度で長さ６８０ｍｍ程度のものを使用している。【０００９】棒状落下防止具４の固定方法は実施例では取付けが簡単な接着テープになっているが、接着剤や螺子で固定することも可能である。【００１０】収納物ケース１の高さは収納物がケース１からはみ出さず、地震時に飛び出しが防止できる高さにするのが望ましい。また、材質はプラスティック、金属、木材等でも可能であるが、本実施例ではプラスティックのものを使用している。【００１１】棒状落下防止具４のフレーム４ａの素材はプラスティック、金属等でも可能であるが、本実施例ではプラスティックのものを使用している。
【符号の説明】
【００１２】１    収納物ケース
２    溝
３    突起
４    棒状落下防止具
４ａ  フレーム
５    接着面
６    クッション材
７    棚板
【図１】
0003177518.tif 000003
【図２】
0003177518.tif 000004
【図３】
0003177518.tif 000005
【図４】
0003177518.tif 000006
【図５】
0003177518.tif 000007
【図６】
0003177518.tif 000008
【図７】
0003177518.tif 000009
【図８】
0003177518.tif 000010
(57)【要約】      （修正有）【課題】高齢者や弱体者でも安全に簡単に使用できる足踏み歩行運動器具を提供する。【解決手段】椅子に座って両足を載せる足踏み天板１と、その天板１の底面中央部に取り付けられた半球状の支点と、その支点を回動自在に支持する円筒状の固定受け３と、その固定受け３を椅子の両脚に連結する一対の連結棒４とを備えている。【選択図】図１
0003177517.tif 000002
【実用新案登録請求の範囲】
【請求項１】
椅子に座って両足を載せる足踏み天板と、その足踏み天板の底面中央部に取り付けられた半球状の支点と、その支点を回動自在に支持する円筒状の固定受けと、その固定受けを椅子の両脚に連結する左右一対の連結棒とを備え、前記一対の連結棒の各一端には、前記固定受けの外周に回動自在に嵌合する第１リングがそれぞれ取り付けられ、各他端には、椅子の前脚の外周に回動自在に嵌合する第２リングがそれぞれ取り付けられていることを特徴とする足踏み歩行運動器具。
【考案の詳細な説明】
【技術分野】
【０００１】  本考案は、高齢者や弱体者でも一人で簡単かつ安全に運動ができるようにするために、特に椅子に座って足踏みや歩行運動ができるようにした運動器具に関する。
【背景技術】
【０００２】  座った姿勢で行う歩行運動器具としては、下記特許文献１に記載のものがある。
【先行技術文献】
【特許文献】
【０００３】
【特許文献１】特開２０１１−１５６３１１号公報
【考案の概要】
【考案が解決しようとする課題】
【０００４】  前記特許文献１に記載のものは、足首廻りのストレッチを目的としたもので、高齢者や弱体者の歩行運動を補助するものではない。
本考案は、特に高齢者や弱体者でも安全に簡単に使用できる足踏み歩行運動器具を提供することを課題とする。
【課題を解決するための手段】
【０００５】  この考案に係る足踏み歩行運動器具は、椅子に座って両足を載せる足踏み天板と、その天板の底面中央部に取り付けた半球状の支点と、その支点を回動自在に支持する円筒状の固定受けと、その固定受けを椅子の両脚に連結する一対の連結棒とを備え、前記一対の連結棒の各一端には、前記固定受けの外周に回動自在に嵌合する第１リングがそれぞれ取り付けられ、各他端には、椅子の前脚の外周に回動自在に嵌合する第２リングがそれぞれ取り付けられていることを特徴とする。
前記足踏み天板は、底面中央の支点だけで支持されているから、その上に足を載せるまでは、傾いている。しかし、椅子に座ってから両足を天板の上に載せてバランスさせると、天板は水平に保たれ、その状態から足踏み天板を前後左右に傾けたり、水平方向に回動させたりすると、座った姿勢のまま歩行運動を行うことができる。
【考案の効果】
【０００６】  本考案によると、椅子に座って足踏み天板の上に両足を載せてから、足踏み天板を前後左右に傾けたり、水平方向に回動させたりすることができるので、高齢者や弱体者であっても、座った姿勢で無理なく歩行運動ができる。また、この歩行運動器具は、連結棒を介して椅子に固定されるので、足踏み天板の上に両足を載せるときに、器具が不意に動いたりしないから、安全に使用することができる。さらに、この歩行運動器具は、連結棒を椅子から外せば、椅子と分離して片付けることができるから、使用しないときに邪魔にならない。
【図面の簡単な説明】
【０００７】
【図１】本考案に係る足踏み歩行運動器具の外観斜視図
【図２】本考案に係る足踏み歩行運動器具の部分断面側面図
【考案を実施するための形態】
【０００８】  図１、図２において、本考案に係る足踏み歩行運動器具は、椅子Ｃに座って両足を載せる足踏み天板１と、その天板１の底面中央部に取り付けられた下半分半球状の支点２と、その支点２を回動自在に支持する円筒状の固定受け３と、その固定受け３を椅子Ｃの両脚Ｌに連結する一対の連結棒４とを備えている。
【０００９】  前記固定受け３は、図２に示すように、底を有する円筒形をなし、その円筒内に支点２が上から嵌まり込む大きさに形成されている。また、その円筒の外周には、第１リング５、６が回動自在に嵌め込まれ、さらに、その円筒外周の上部には、第１リング５、６の抜け止め用フランジ７が取り付けられている。
【００１０】  前記第１リング５、６は、左右の連結棒４の一端にそれぞれ取り付けられ、また、各連結棒４の他端には、椅子Ｃの脚Ｌに嵌める第２リング８、９がそれぞれ取り付けられている。この第２リング８，９は、椅子Ｃの脚Ｌに挿通できる大きさを有し、椅子Ｃを少し持ち上げて各第２リング８、９に脚Ｌを挿通すれば、固定受け３の位置が定まり、その固定受け３に足踏み天板１の支点２を嵌めれば、足踏み天板１の位置が固定される。
【００１１】  使用に際しては、椅子Ｃに腰掛けてから足踏み天板１の上に両足を載せ、両足の操作で足踏み天板１を前後方向や左右方向にスイングさせたり、水平面内で支点１を中心にして回動させたりする。これにより、高齢者や弱体者であっても、楽に足踏み運動を行うことができる。
【００１２】  また、これを片付けるときは、足踏み天板１を持ち上げるだけで固定受け３と分離することができ、さらに、椅子Ｃを少し持ち上げて第２リング８．９を椅子Ｃの脚Ｌから外せば、椅子Ｃからも分離することができるから、コンパクトな状態にして収納することができる。
【符号の説明】
【００１３】１      足踏み天板
２      支点
３      固定受け
４      連結棒
５      第１リング
６      第１リング
７      フランジ
８      第２リング
９      第２リング
【図１】
0003177517.tif 000003
【図２】
0003177517.tif 000004
(57)【要約】      （修正有）【課題】越中ふんどしを体に着用して、滝行や水泳などで水に濡れても透けにくい、また従来からの素材を使用することができる越中ふんどしを提供する。【解決手段】越中ふんどしの布部の構成を、少なくとも一部が三重以上の布を重ね合わせた構造とした。【選択図】図１
0003177516.tif 000002
【実用新案登録請求の範囲】
【請求項１】
腰に巻きつける紐部と、前記紐部に一端が縫い合わされ、人体のおしりから股間を覆う帯状の布部とを有する平面視してＴ字状の越中ふんどしにおいて、前記布部の少なくとも一部が三重以上とされていることを特徴とする越中ふんどし。
【請求項２】
請求項１記載の越中ふんどしにおいて、前記布部は、人体のおしりに接する部位が三重以上とされていることを特徴とする越中ふんどし。
【請求項３】
請求項１又は２記載の越中ふんどしにおいて、前記布部は、三重以上とされていない部位が一重又は二重とされていることを特徴とする越中ふんどし。
【考案の詳細な説明】
【技術分野】
【０００１】本考案は、滝行や水泳などに着用する越中ふんどしに関する。
【背景技術】
【０００２】従来の越中ふんどしは、紐に布地をＴ字状に取り付けたもので、布地は一重の構造であった。すなわち図５に示すように従来の越中ふんどしの布５１は一重の構造であり、従来の越中ふんどしの紐５２に縫い合わされている。
尚、着用図を図６から図９に示す。すなわち図６においておしりの部分に布５１をあて紐５２を腹部に回す、次に、図７に示すように腹部に回した紐５２の両端を結ぶ。
次に図８においてお尻にあてた布５１を股間を通して腹部にもっていき腹部と紐の間に下から通す。そして図９において紐と腹部の間を下から通した布５１を下方に反転させてふんどしを着用する。
【考案の開示】
【考案を解決しようとする課題】
【０００３】  従来の越中ふんどしは一重の白の布地を体に着用していた、滝行や水泳などに着用してした際、水に濡れると透けていたため、着用をあきらめたり、羞恥にたえて滝行などを行っていたが、現在の滝行などでは多くの女性が参加することが増えてきため、従来の伝統を壊さないで尚かつ濡れても透けて見えにくい、ふんどしが待望されていた。
上記問題に鑑み、本考案では体に着用した際に、ほとんど透けることのない越中ふんどしを提供することを目的とする。
【課題を解決するための手段】
【０００４】［請求項１］
腰に巻きつける紐部と、前記紐部に一端が縫い合わされ、人体のおしりから股間を覆う帯状の布部とを有する平面視してＴ字状の越中ふんどしにおいて、前記布部の少なくとも一部が三重以上とされていることを特徴とする越中ふんどし。
［請求項２］
請求項１記載の越中ふんどしにおいて、前記布部は、人体のおしりに接する部位が三重以上とされていることを特徴とする越中ふんどし。
［請求項３］
請求項１又は２記載の越中ふんどしにおいて、前記布部は、三重以上とされていない部位が一重又は二重とされていることを特徴とする越中ふんどし。
【考案の効果】
【０００５】本考案によれば、生地を三重以上にして全体の厚みを増しているので、ふんどしが透けて見えにくくなるものである。また本考案によれば、表布を従来からの素材で作成しても、透けにくいふんどしが作成できるため、滝行など伝統行事にも違和感なく使用することができる。さらに透けにくい素材を中布に採用するによりさらに透けにくくすることができる。
【図面の簡単な説明】
【０００６】
【図１】お尻を覆う布部だけが３重となった越中ふんどしの正面図である。
【図２】［図１］に示す越中ふんどしの展開図である。
【図３】布部すべてが３重構造となっている越中ふんどしの正面図。
【図４】［図３］に示すふんどしの展開図である。
【図５】従来の越中ふんどしの正面図である。
【図６】越中ふんどしの着用例を示す腰に布５１をあてがった状態で背後から見た説明図。
【図７】腰に紐５２をまわして結びつけた状態で背後から見た説明図である。
【図８】布５１をおしりから股間にまわして紐５２にくぐらせた状態で正面から見た説明図である。
【図９】紐５２にくぐらせた布５１を紐５２の前方にたらして体に着付けた状態で正面から見た説明図である。
【考案を実施する為の最良の形態】
【０００７】  本考案を実施するための最良の形態について図１から図４を用いて説明する。
尚ここでは一例として布部の少なくとも一部または全部が三重の場合について述べる。
まず図１はお尻を覆う布部だけが３重となった越中ふんどしである。すなわち図１において、お尻を覆う布部だけは越中ふんどし布の表布１−ａ、越中ふんどし布の中布１−ｂ及びふんどし布の裏布１−ｃの３重構造となっている。お尻を覆わない残りの部分は越中ふんどし布の表布１−ａ及びふんどし布の裏布１−ｃの２重構造となっている。
なお図２においてこれら越中ふんどし布の表布１−ａ、越中ふんどし布の中布１−ｂ及びふんどし布の裏布１−ｃを展開した図を示す。越中ふんどし布の表布１−ａ、越中ふんどし布の中布１−ｂ及びふんどし布の裏布１−ｃの３重構造となっており、越中ふんどし布の中布１−ｂが越中ふんどし布の表布１−ａと越中ふんどし布の裏布１−ｃの間に挟まれている。
次に図３は布部すべてが３重構造となっている越中ふんどしを示す。すなわち越中ふんどし布の表布１−ａ、越中ふんどし布の中布１−ｂ及びふんどし布の裏布１−ｃのすべてが３重構造となっている。
なお図４においてこれら越中ふんどし布の表布１−ａ、越中ふんどし布の中布１−ｂ及びふんどし布の裏布１−ｃを展開した図を示し、越中ふんどし布の表布１−ａ、越中ふんどし布の中布１−ｂ及びふんどし布の裏布１−ｃの３重構造となっており、越中ふんどし布の中布１−ｂが越中ふんどし布の表布１−ａと越中ふんどし布の裏布１−ｃの間に挟まれている。
尚ここではふんどし布部が３重構造となる場合を説明したが、４重以上となってもよい。
さらに越中ふんどしの中布の素材を表布および裏布と同じ素材でもよい、または透けにくい素材を用いることもできる。
縫製する際には、布の両側部や下端分を縫う縫わないは不問とする。
【符号の説明】
【０００８】１：越中ふんどし布
１−ａ：越中ふんどし布の表布
１−ｂ：越中ふんどし布の中布
１−ｃ：越中ふんどし布の裏布
２：越中ふんどし紐
５１：従来の越中ふんどしの布
５２：従来の越中ふんどしの紐
【図１】
0003177516.tif 000003
【図２】
0003177516.tif 000004
【図３】
0003177516.tif 000005
【図４】
0003177516.tif 000006
【図５】
0003177516.tif 000007
【図６】
0003177516.tif 000008
【図７】
0003177516.tif 000009
【図８】
0003177516.tif 000010
【図９】
0003177516.tif 000011
(57)【要約】      （修正有）【課題】電気自動車普及のため、精算を公平・簡易にするとともに、安全な使用を図るケーブル付き積算電力計を提供する。【解決手段】機器の機能として、使用電力量および使用電力料金の両方または一方を計測または計算する機能を含み持ち、使用電力量および使用電力料金の両方または一方を表示することのできる機能を含み持つ機器と、電気ケーブルを接続し一体化させたケーブル付き積算電力計である。【選択図】図１
0003177515.tif 000002
【実用新案登録請求の範囲】
【請求項１】
積算電力計（使用電力量および使用電力料金の両方または一方を計測し、それらの両方または一方を表示することのできる機器）と、電気ケーブル（電気コード）を接続し一体化した製品。なお、当該機能をケーブルと接続された他の機器内に持たせた製品も含む。
【考案の詳細な説明】
【先行技術文献】
【特許文献】
【０００１】
【特許文献１】不明。
【非特許文献】
【０００２】
【非特許文献１】不明。
【考案の概要】
【考案が解決しようとする課題】
【０００３】
現在、電気自動車が普及しつつあるが、最大の問題点の一つに、充電施設（充電スタンド（ガソリン自動車のガソリンスタンドにあたる施設））の不足がある。
これを解消するため、家庭用電源から専用の充電用電気ケーブル（電気コード）を使用して充電する電気自動車が発売されており、所有者の保有する家庭用電源からの充電を可能とすることにより、充電施設の不足を補うようにしている。
しかし、この仕組みだけでは、帰郷時の実家の電源など、経済的に問題のない保有者の家庭や施設の電源からの使用には支障ないが、緊急時に他人の施設の電源を利用させてもらったり、駐車場経営者の施設の電源を使用する場合などに、金銭精算を行うことが困難であることから電源供給場所拡大の障害となっており、そのため、電気自動車の普及に支障を来たしていると考えられる。
ところで、現状では自動車メーカーは、充電を充電専用スタンドまたは自家保有電源を使用することを前提としており、自動車メーカ提供部品では使用電力料金を計測する手段がない。また、市販の積算電力計は計器のみの製品しかなく（かつ、電気自動車の充電用ケーブルと規格がことなるため使えず、使える製品が出来たとしても）、積算電力計とケーブル（コード）を両方保管するのは手間がかさむ。また、機器とケーブルをコンセント・プラグで接続使用する場合はその間の接触部分における電気的トラブルの原因となりやすい問題がある。
そこで、使用電力量と使用電力料金の両方または一方を計測・表示する積算電力計と電気ケーブル（電気コード）を一体化したものがあれば、精算が公平・簡易になるとともに、安全に電気使用ができ、充電可能場所が飛躍的に増大し、電気自動車の普及に貢献するものである。
また、電気自動車の充電のみならず、建築現場等で、隣家の電源を借用する場合など、自家用電源のない場合の代替電源確保に貢献するものでもある。
【課題を解決するための手段】
【０００４】
積算電力計（使用電力量および使用電力料金の両方または一方を計測し、それらの両方または一方を表示することのできる機器）と、電気ケーブル（電気コード）を接続し一体化した製品を提供することにより、簡易・公平・安全な使用・精算手段を提供することが可能となる。
【考案の効果】
【０００５】
当該製品を電気自動車に常備（搭載）することにより、他人所有電源の使用時の精算が公平・簡易になり、充電可能場所が飛躍的に増大し、電気自動車の普及に貢献するものである。
また、電気自動車の充電のみならず、建築現場等で、隣家の電源を借用する場合など、自家用電源のない場合の代替電源確保に貢献するものである。
【図面の簡単な説明】
【０００６】
【図１】１  図の中心部の筐体は、使用電力量測定表示計（上記本文中の「積算電力計」）を表す。２  丸囲みのAは、電源を表す。３  丸囲みのBは、使用機器（電気自動車の充電池や、建築現場での建築機器等）を表す。４  筐体と丸囲みのA・Bをつなぐ矢印は電気ケーブル（電気コード）を表す。５  丸囲みのA（電源）ならびにそれに接続する矢印（電気ケーブル・コード）は、筐体の部品として一体化させた電源へのコンセントまたはプラグで代替し、存在しない場合も含む。６  丸囲みのB（使用機器）ならびにそれに接続する矢印（電気ケーブル・コード）は、筐体の部品として一体化させた使用機器へのコンセントまたはプラグで代替し、存在しない場合も含む。
【考案を実施するための形態】
【０００７】
１  自動車メーカー提供の電気自動車用専用充電ケーブルに積算電力計を接続した製品をユーザーに提供する。２  電気自動車用専用充電ケーブルの制御部品中に当実用新案記載の積算電力計の機能を組み込む。３  一般の電気コードを使用した当実用新案製品を、自家外で電気機器を使用する者（業者）が常備し、電気機器使用場所近隣の電源保有者の電源を借用し、使用後使用料金精算に利用する。
【実施例】
【０００８】
上記、実施の形態に同じ。
【産業上の利用可能性】
【０００９】
１  電気自動車の電源確保に有用である。２  家屋の新築現場等における建築業者の利用が見込まれる。
【符号の説明】
【００１０】
上記図面の簡単な説明に記載。
【図１】
0003177515.tif 000003
【手続補正書】
【提出日】平成24年6月3日(2012.6.3)
【手続補正１】
【補正対象書類名】実用新案登録請求の範囲
【補正対象項目名】請求項１
【補正方法】変更
【補正の内容】
【請求項１】
機器の機能として、使用電力量および使用電力料金の両方または一方を計測または計算する機能を含み持ち、使用電力量および使用電力料金の両方または一方を表示することのできる機能を含み持つ機器と、電気ケーブルを接続し一体化させたケーブル付き積算電力計。
(57)【要約】      （修正有）【課題】自動車ワイパーにおいて、その構造を透明にすることにより、作動したときの司会の妨げを軽減できるワイパーを提供する。【解決手段】ワイパーアーム１及びワイパークリップ２を透明強化プラスティックで製作し、さらにワイパーブレード３を透明アクリルを使用して製造することによって、視界が遮られるという弊害を軽減できるように構成する。【選択図】図１
0003177502.tif 000002
【実用新案登録請求の範囲】
【請求項１】
本考案は、自動車ワイパー本体及びブレードの部分をなるべく透明にしたワイパーに関するものである。
【請求項２】
自動車ワイパーの構造は現状あるもの全てに適用し、使用される素材を変更するものである。アーム、ピン等を透明色の強化プラスティック及びアクリルにし、バネ等をプラスティックバネにし、ブレードの色を透明色にする。
【考案の詳細な説明】
【技術分野】
【０００１】本考案は、自動車ワイパ−本体及びブレードの部分をなるべく透明にした、ワイパーに関するものである。
【背景技術】
【０００２】従来の自動車ワイパーの場合、視界を遮り、あるいは目障りになり、安全に運転をするには支障をきたしていた。
【考案の概要】
【考案が解決しようとする課題】
【０００３】鋼製ワイパーのアーム本体及びブレードは黒色が多く、ワイパーを作動させると視界の妨げになる。従って、アーム本体及びブレードの部分をできるかぎり透明にして安全に運転ができるようにし、前述の欠点を解決しようとするものである。
【課題を解決するための手段】
【０００４】本考案は、ワイパーのアーム本体を透明色な強化プラスティック並びアクリルに変更し、ブレードの部分を透明色に変更することにより問題点を解決している。
【考案の効果】
【０００５】上述の様に、本考案の透明ワイパーは可能な限り透明にすることにより、視界の妨げを軽減する。これにより安全運転に役立つ。
【考案を実施するための形態】
【０００６】自動車ワイパーの構造は現状あるもの全てに適用し、使用される素材を変更するものである。アーム、ピン等を透明色の強化プラスティック及びアクリルにし、バネ等を透明色のプラスティックバネにし、ブレードの色を透明色にする。これにより視界の妨げを軽減する。
0003177502.tif 000003
【手続補正書】
【提出日】平成24年2月22日(2012.2.22)
【手続補正２】
【補正対象書類名】実用新案登録請求の範囲
【補正対象項目名】全文
【補正方法】変更
【補正の内容】
【実用新案登録請求の範囲】
【請求項１】
・自動車ワイパー本体及びブレードの部分を透明ワイパーに関するものである。
【請求項２】
・自動車透明ワイパーの構造は現在使用されている鋼製ワイパーをプラスティック及びアクリルに変更した透明ワイパー本体及びブレードである。
【手続補正３】
【補正対象書類名】明細書
【補正対象項目名】全文
【補正方法】変更
【補正の内容】
【考案の詳細な説明】
【技術分野】
【０００１】・自動車ワイパー本体及びブレードの部分を透明にしたワイパーに関するものである。
【背景技術】
【０００２】・従来の自動車ワイパーの場合、視界を遮りあるいは目障りになり安全に運転をするには支障をきたしていた。
【考案の概要】
【考案が解決しようとする課題】
【０００３】・鋼製ワイパーのアーム本体及びブレードは黒色が多くワイパーを作動させると視界のさまたげになる。従ってアーム本体及びブレードの部分を透明にして安全に運転ができるようにして前述の欠点を解決しようとするものである。
【課題を解決するための手段】
【０００４】・本考案はワイパーのアーム本体を透明な強化プラスティック並びにアクリルに変更しブレードの部分を透明にすることにより問題点を解決している。
【考案の効果】
【０００５】・上述の様に本考案の透明ワイパーは透明にすることにより視界の妨げを軽減する。これにより安全運転に役立つ。
【考案を実施するための形態】
【０００６】・自動車ワイパーの構造は現在使われている鋼製ワイパー本体及びブレードをプラスティック及びアクリルに変更し透明にする。これにより視界の妨げを軽減する。
【図面の簡単な説明】
【０００７】
【図１】・１ワイパーアーム  透明強化プラスティックを使用  ・２ワイパークリップ  透明強化プラスティックを使用  ・３ワイパーブレード  透明アクリルを使用
【手続補正４】
【補正対象書類名】図面
【補正対象項目名】全図
【補正方法】変更
【補正の内容】
【図１】
0003177502.tif 000004
【手続補正書】
【提出日】平成24年5月17日(2012.5.17)
【手続補正１】
【補正対象書類名】実用新案登録請求の範囲
【補正対象項目名】全文
【補正方法】変更
【補正の内容】
【実用新案登録請求の範囲】
【請求項１】
自動車ワイパー本体及びブレードの部分が透明であることを特徴とするワイパー。
【請求項２】
前記ワイパー本体及びブレードが、プラスティック及びアクリルである事を特徴とする請求項１記載のワイパー。
【手続補正２】
【補正対象書類名】明細書
【補正対象項目名】０００７
【補正方法】変更
【補正の内容】
【０００７】
【図１】本願考案の透明ワイパーの図である。
【符号の説明】
１  ワイパーアーム  透明強化プラスティックを使用
２  ワイパークリップ  透明強化プラスティックを使用
３  ワイパーブレード  透明アクリルを使用